(57)【要約】【課題】手ぶれの影響の少ない撮影画像を記録できるようにする。  【解決手段】  本発明に係るデジタルカメラ１０によれば、シャッター釦が全押し操作され、撮影が指示されると、連写撮影を行うとともに連写中のデジタルカメラ１０の揺れ量をセンサ１８により測定し、連写における各撮影のうち露光中の揺れ量が最も少なかった撮影で取得された画像データを正規領域１７１ａに記録する。【選択図】図１
2007174534.tif 000002
【特許請求の範囲】
【請求項１】
被写体の光学画像を電気信号に変換して画像データを取得する画像取得手段を備えた撮影装置において、
撮影開始の指示命令を入力するシャッター手段と、
前記シャッター手段から撮影開始の指示命令が入力されると、前記画像取得手段を制御して連写撮影を行う連写手段と、
前記連写手段による連写中における前記撮影装置の揺れ量を測定する測定手段と、
前記連写撮影のうち前記測定された揺れ量が最も少なかった撮影において前記画像取得手段により取得された画像データを画像記録手段に記録する記録制御手段と、
を備えたことを特徴とする撮影装置。
【請求項２】
前記連写撮影におけるパラメータを設定する設定手段を備え、
前記連写手段は、前記設定されたパラメータに基づいて連写撮影を行うことを特徴とする請求項１に記載の撮影装置。
【請求項３】
過去に前記測定手段により測定された連写撮影時の前記撮影装置の揺れ量を履歴情報として記憶する測定履歴記憶手段と、
前記連写撮影時の露光時間を決定する露光時間決定手段と、
前記測定履歴記憶手段に記憶された履歴情報及び前記決定された露光時間に基づいて、前記連写撮影におけるパラメータを決定するパラメータ決定手段と、を備え、
前記連写手段は、前記決定されたパラメータに基づいて連写撮影を行うことを特徴とする請求項１に記載の撮影装置。
【請求項４】
撮影者を特定するための撮影者特定手段を備え、
前記測定履歴記憶手段は、撮影者毎に前記履歴情報を記憶し、
前記パラメータ決定手段は、前記撮影者特定手段により特定された撮影者に対応する履歴情報及び前記決定された露光時間に基づいて、前記連写撮影におけるパラメータを決定することを特徴とする請求項３に記載の撮影装置。
【請求項５】
前記連写撮影におけるパラメータは、前記シャッター手段からの撮影開始の指示命令から実際に撮影を開始するまでの遅延時間、連写周期、連写回数の少なくとも一つを含むことを特徴とする請求項２〜４の何れか一項に記載の撮影装置。
【請求項６】
前記画像記録手段は、前記連写撮影のうち前記撮影装置の揺れ量が最も少なかったときに取得された画像データを記録するための正規領域と、一時記憶領域とを有し、
前記記録制御手段は、前記連写中における各撮影時に測定された揺れ量と予め定められた閾値とを比較し、前記撮影時に測定された揺れ量が前記閾値以下であったときに取得された画像データを前記一時記憶領域に記録することを特徴とする請求項１〜５の何れか一項に記載の撮影装置。
【請求項７】
前記正規領域の空き容量が予め定められた容量以下となった場合に、前記正規領域を拡張する拡張手段を備えたことを特徴とする請求項６に記載の撮影装置。
【請求項８】
被写体の光学画像を電気信号に変換して画像データを取得する画像取得手段を備えた撮影装置を制御するためのコンピュータを、
撮影開始の指示命令を入力するシャッター手段、
前記シャッター手段から撮影開始の指示命令が入力されると、前記画像取得手段を制御して連写撮影を行う連写手段、
前記連写手段による連写中における前記撮影装置の揺れ量を測定する測定手段、
前記連写撮影のうち前記測定された揺れ量が最も少なかった撮影において前記画像取得手段により取得された画像データを画像記録手段に記録する記録制御手段、
として機能させるためのプログラム。
【発明の詳細な説明】
【技術分野】
【０００１】
本発明は、連写撮影を行ない、撮影装置の揺れ量が最も少なかった撮影で取得された画像を記録する撮影装置及びそのプログラムに関する。
【背景技術】
【０００２】
デジタルカメラ等の撮影装置により撮影を行う際、手ぶれによって画像がぼやけてしまうことがある。手ぶれの原因は、シャッター釦の操作（押下する操作／離す操作）による撮影装置の揺れがあげられる。また、撮影者が撮影装置を固定したつもりでも、微小な撮影装置の揺れは避けられない。
【０００３】
そこで、手ぶれによる画質の劣化を最小限にするため、例えば、特許文献１には、レリーズボタンとしてタッチセンサを用い、レリーズボタンに接触されると撮影準備動作を開始し、レリーズボタンへの接触が非接触となった時点で露光を開始する撮像装置が記載されている。また、特許文献２には、シャッター釦が全押しされた後、一定時間後に撮影を行うカメラが記載されている。
【特許文献１】特開２００３−２８９４６０号公報
【特許文献２】特開２００３−３１５９０１号公報
【発明の開示】
【発明が解決しようとする課題】
【０００４】
しかしながら、特許文献１においては、レリーズボタンを押下するときの手ぶれの影響は解消できるが、レリーズボタンから手を離すときの手ぶれには効果がない。また、特許文献２においては、シャッター釦の操作とカメラの揺れの関係は、撮影者の癖やその時々の操作状態により異なるため、シャッター釦の操作後、一定の遅延時間を設けて撮影を行っても、手ぶれを回避できない場合が多い。
【０００５】
本発明の課題は、手ぶれの影響の少ない撮影画像を記録できるようにすることである。
【課題を解決するための手段】
【０００６】
上記課題を解決するため、請求項１に記載の発明は、
被写体の光学画像を電気信号に変換して画像データを取得する画像取得手段を備えた撮影装置において、
撮影開始の指示命令を入力するシャッター手段と、
前記シャッター手段から撮影開始の指示命令が入力されると、前記画像取得手段を制御して連写撮影を行う連写手段と、
前記連写手段による連写中における前記撮影装置の揺れ量を測定する測定手段と、
前記連写撮影のうち前記測定された揺れ量が最も少なかった撮影において前記画像取得手段により取得された画像データを画像記録手段に記録する記録制御手段と、
を備えたことを特徴としている。
【０００７】
請求項８に記載の発明は、
被写体の光学画像を電気信号に変換して画像データを取得する画像取得手段を備えた撮影装置を制御するためのコンピュータを、
撮影開始の指示命令を入力するシャッター手段、
前記シャッター手段から撮影開始の指示命令が入力されると、前記画像取得手段を制御して連写撮影を行う連写手段、
前記連写手段による連写中における前記撮影装置の揺れ量を測定する測定手段、
前記連写撮影のうち前記測定された揺れ量が最も少なかった撮影において前記画像取得手段により取得された画像データを画像記録手段に記録する記録制御手段、
として機能させるためのプログラムであることを特徴としている。
【０００８】
なお、ここでいう連写中とは、撮影開始の指示命令が入力されてから連写における全ての撮影が終了するまでの期間をいう。
【発明の効果】
【０００９】
請求項１、８に記載の発明によれば、シャッター手段から撮影開始の指示命令が入力されると、連写撮影を行ない、連写中における撮影装置の揺れ量を測定し、連写撮影のうち測定された揺れ量が最も少なかった撮影において取得された画像データを画像記録手段に記録する。従って、手ぶれの影響の少ない撮影画像を記録することが可能となる。
【００１０】
請求項２に記載の発明によれば、撮影者に応じて連写撮影におけるパラメータを設定することが可能となり、撮影者に応じて、より手ぶれの影響の少ない撮影画像を記録することが可能となる。
【００１１】
請求項３に記載の発明によれば、連写撮影における撮影装置の揺れ量の履歴情報に基づいて自動的に連写撮影におけるパラメータを決定するので、過去の撮影時における揺れ量の傾向に応じて、より手ぶれの影響の少ない撮影画像を記録することが可能となる。
【００１２】
請求項４に記載の発明によれば、撮影者毎に撮影装置の揺れ量の履歴情報を記憶しておき、撮影する際に撮影者を特定し、その撮影者の履歴情報に基づいて自動的に連写撮影におけるパラメータを決定するので、撮影者に応じて、より手ぶれの影響の少ない撮影画像を記録することが可能となる。
【００１３】
請求項５に記載の発明によれば、シャッター手段による撮影開始の指示命令から実際に撮影を開始するまでの遅延時間、連写周期、連写回数の少なくとも一つを設定又は決定することが可能となる。
【００１４】
請求項６に記載の発明によれば、連写撮影において撮影装置の揺れ量が最も少なかったときに取得された画像データを画像記録手段の正規領域に記録する他、連写撮影の各撮影時に測定された揺れ量が予め設定された閾値以下であったときに取得された画像データを一時記憶領域に記録するので、手ぶれの影響の最も少なかった画像が撮影者にとって好ましい画像ではなかった場合に、手ぶれの影響が鑑賞に許容される範囲の画像の中から正規の画像として記録する画像を選択することが可能となる。
【００１５】
請求項７に記載の発明によれば、正規領域に記録すべき画像データの記録に影響することなく、一時記憶領域に手ぶれの影響が許容される範囲の画像を記録することが可能となる。
【発明を実施するための最良の形態】
【００１６】
以下、本実施形態におけるデジタルカメラ１０について詳細に説明する。
まず、構成を説明する。
図１は、デジタルカメラ１０の機能的構成を示すブロック図である。図１に示すように、デジタルカメラ１０は、ＣＰＵ（Central Processing Unit）１１、入力装置１２、ＲＡＭ（Random Access Memory）１３、伝送制御部１４、表示装置１５、撮像装置１６、記録装置１７、センサ１８、指紋入力装置１９等を備えて構成されており、各部及び各装置はバス２０により接続されている。
【００１７】
ＣＰＵ１１は、記録装置１７に記憶されているシステムプログラムを読み出し、ＲＡＭ１３内に形成されたワークエリアに展開し、該システムプログラムに従って各部を制御する。また、ＣＰＵ１１は、記録装置１７に記憶されているメイン処理プログラム、手ぶれ対応連写撮影処理プログラムを始めとする各種処理プログラムを読み出してワークエリアに展開し、その展開されたプログラムに従って、後述するメイン処理（図３参照）、手ぶれ対応連写撮影処理（図４〜５参照）を始めとする各種処理を実行する。
【００１８】
入力装置１２は、電源釦、シャッター釦、表示装置１５の表示画面上におけるカーソル位置の移動のために表示画面上の上下左右の各方向を指示するための十字釦、この十字釦の中央部に配置され、その時点で選択されている内容を指示設定する決定釦等を備えている。また、入力装置１２は、撮影モード、手ぶれ対応連写モード、終了モード、再生モード等のデジタルカメラ１０の動作モードを切り替えるモード切替スイッチを備え、ユーザによる各釦操作やスイッチ操作に応じた操作信号をＣＰＵ１１に出力する。なお、シャッター釦は、半押し状態と全押し状態の２段階スイッチとなっており、全押し操作されると、撮影開始の指示命令をＣＰＵ１１に出力する。
【００１９】
ＲＡＭ１３は、ＣＰＵ１１によって実行される各種プログラム及びこれらプログラムに係るデータを一時的に記憶するワークエリアを形成する。また、ＲＡＭ１３は、揺れ量記憶領域１３１、画像一時記憶領域１３２、最大揺れ量記憶領域１３３を形成する。
【００２０】
伝送制御部１４は、通信用ケーブル等により外部の電子機器、例えば、パーソナルコンピュータ等と接続され、画像データ等の送受信を制御する。なお、外部機器との接続は、赤外線や無線等の無線接続であってもよい。
【００２１】
表示装置１５は、ＬＣＤ（Liquid Crystal Display）等のモニタにより構成され、ＣＰＵ１１から入力される表示信号の指示に従って、撮影しようとする画像及び撮影された画像等を表示画面上に表示する。
【００２２】
図２は、撮像装置１６の詳細構成を示す図である。撮像装置１６は、被写体の光学画像を電気信号に変換して画像データを取得する画像取得手段としての機能を有する。ここで、図２を参照して撮像装置１６について説明する。
【００２３】
撮像レンズ２１を通過した被写体像は、絞り機構２２を介してＣＣＤ（Charge Coupled Device）２３上に結像される。撮像レンズ２１及び絞り機構２２は、光学系駆動部２４によって、焦点合わせのためにレンズ位置が移動され、また、適切な露出となるように絞り量が制御される。この撮像レンズ２１の移動や絞り機構２２の絞りは、測距センサや光量センサを含むセンサ部２５によって検出された検出値がバス２０を介してＣＰＵ１１に出力され、ＣＰＵ１１で検出値に基づいて演算された撮像レンズ２１の移動量や絞り機構２２の絞り量を示す信号が光学系駆動部２４に出力されることによって駆動がなされるものである。
【００２４】
ＣＣＤ２３に被写体が結像されると、ＣＣＤ２３には入射光量に応じた電荷が蓄積され、この電荷は駆動回路２６から与えられる駆動パルス信号によって順次読み出され、アナログ処理回路２７に出力される。アナログ処理回路２７では、色分離やゲイン調整、ホワイトバランス等の各種処理が行われ、処理された信号はＡ／Ｄ変換回路２８を介してデジタル画像データ（以下、画像データという。）としてバッファレジスタ２９に記憶される。
【００２５】
バッファレジスタ２９に記憶された画像データは、ＣＰＵ１１からの制御信号に基づいて、信号処理回路３０において輝度信号及び色差信号に変換され、表示装置１５に表示される。また、信号処理回路３０において処理された画像データは、ＣＰＵ１１からの制御信号に基づいて、圧縮伸張回路３１において圧縮され、バス２０を介して図１に示す記録装置１７の撮影画像記録領域１７１に記録される。
【００２６】
図１に戻り、記録装置１７は、フラッシュメモリ等の不揮発メモリ等により構成され、デジタルカメラ１０に対応するシステムプログラム、及び該システムプログラム上で実行可能なメイン処理プログラム、手ぶれ対応連写撮影処理プログラムを始めとする各種処理プログラム、アプリケーションプログラム及びこれらのプログラムで処理されたデータ等を記録する。
【００２７】
また、記録装置１７は、撮影された画像データを記録するための撮影画像記録領域１７１を有する。撮影画像記録領域１７１は、後述する通常撮影処理により取得された画像データ、及び手ぶれ対応連写撮影処理において揺れ量の最も少なかった撮影により取得された画像データ（正画）を記録する正規領域１７１ａと、正規領域１７１ａには記録されていない画像データであって、手ぶれ対応連写撮影処理において揺れ量が予め設定された閾値Ｂ以下の画像データ（仮画）を一時的に記憶するテンポラリ領域１７１ｂとを有する（図７参照）。
【００２８】
また、記録装置１７は、手ぶれ対応連写撮影処理において、シャッター釦の全押し操作後、単位時間毎にセンサ１８により測定された、デジタルカメラ１０の単位時間当たりの揺れ量の測定値データを履歴情報として、撮影者毎に、即ち、撮影者を特定するための撮影者ＩＤと対応付けて記憶する測定履歴格納領域１７２を有している。
【００２９】
また、記録装置１７は、撮影者ＩＤと当該撮影者ＩＤで特定される人物の指紋画像データとを対応付けて記憶する撮影者情報格納領域１７３を有している。
【００３０】
センサ１８は、ジャイロセンサ等により構成され、デジタルカメラ１０の縦方向の揺れ量及び横方向の揺れ量を測定してＣＰＵ１１に出力する。
【００３１】
指紋入力装置１９は、静電容量式等の指紋センサ等により構成され、指紋入力装置１９の所定位置に載置された指紋を読み取って指紋画像データを取得し、ＣＰＵ１１に出力する。
【００３２】
次に、動作について説明する。
図３は、デジタルカメラ１０のＣＰＵ１１により実行されるメイン処理を示すフローチャートである。当該処理は、入力装置１２の電源釦の操作により電源がＯＮされた際にＣＰＵ１１と記録装置１７に記憶されているメイン処理プログラムとの協働によるソフトウエア処理により実現される処理である。
【００３３】
まず、現在の動作モードが解析される（ステップＳ１）。解析の結果により、現在の動作モードが通常撮影モードであると判断された場合（ステップＳ２；ＹＥＳ）、通常撮影処理が実行される（ステップＳ３）。  通常撮影モードとは、デジタルカメラ１０において予め標準として定められている処理により撮影を行う撮影モードである。                  
【００３４】
通常撮影モードにおいて実行される通常撮影処理では、まず、シャッター釦が全押しされるまで撮影待機状態となる。
【００３５】
撮影待機状態においてシャッター釦が半押しされると、センサ部２５からの検出値に応じて絞り量、露光時間等の露出条件が決定される。シャッター釦が全押しされると、決定された露出条件で撮像装置１６により撮影が行われ、撮影により得られた画像データが撮影画像記録領域１７１の正規領域１７１ａに記録される。入力装置１２のモード切替スイッチの操作等によりモード切替が指示されるまで通常撮影処理が実行され、モード切替が指示されると（ステップＳ４；ＹＥＳ）、処理はステップＳ１に戻る。
【００３６】
ステップＳ２において、現在の動作モードが通常撮影モードではないと判断されると、動作モードが手ぶれ対応連写モードであるか否かが判断され（ステップＳ５）、現在の動作モードが手ぶれ対応連写モードであると判断された場合（ステップＳ５；ＹＥＳ）、図４、５に示す手ぶれ対応連写撮影処理が実行され（ステップＳ６）、処理はステップＳ１に戻る。手ぶれ対応連写撮影処理については、後述する。
【００３７】
ステップＳ５において、現在の動作モードが手ぶれ対応連写モードではないと判断されると、現在の動作モードが終了モードであるか否かが判断され、現在の動作モードが終了モードではないと判断されると（ステップＳ７；ＮＯ）、現在の動作モードに応じた処理が実行される（ステップＳ８）。例えば、現在の動作モードが再生モードである場合、表示画面上に記録装置１７の撮影画像記録領域１７１に記録されている画像一覧が表示され、画像一覧から選択された撮影画像が再生表示される。入力装置１２のモード切替スイッチの操作等によりモード切替が指示されると（ステップＳ９；ＹＥＳ）、処理はステップＳ１に戻る。
【００３８】
ステップＳ７において、現在の動作モードが終了モードであると判断された場合（ステップＳ７；ＹＥＳ）、本処理は終了する。
【００３９】
以下、図３のステップＳ６において、即ち、手ぶれ対応連写モードにおいて、デジタルカメラ１０のＣＰＵ１１により実行される手ぶれ対応連写撮影処理について説明する。当該処理は、ＣＰＵ１１と記録装置１７に記憶されている手ぶれ対応連写撮影処理プログラムとの協働によるソフトウエア処理により実現される処理である。
【００４０】
手ぶれ対応連写モードは、手ぶれの影響の少ない画像データを取得するためのモードであり、手ぶれ対応連写撮影処理では、シャッター釦の全押し操作後、連写撮影を行うとともに、連写の各撮影時の露光中のデジタルカメラ１０の揺れ量を測定し、揺れ量の最も少なかった画像データを撮影画像として記録する。
【００４１】
この手ぶれ対応連写モードにおいては、マニュアル設定撮影とオート設定撮影とが設けられている。マニュアル設定撮影においては、シャッター釦の操作（全押し）から連写の最初の撮影における露光を開始するまでの「遅延時間Ｔ」、「連写回数Ｎ」、「連写周期Ｃ」等の連写撮影を行う際のパラメータを撮影者が設定するものである。オート設定撮影においては、撮影者の過去の撮影時に取得した揺れ量の履歴情報をもとにデジタルカメラ１０で自動的に「遅延時間Ｔ」、「連写回数Ｎ」、「連写周期Ｃ」等の連写撮影を行う際のパラメータを決定するものである。
【００４２】
図４、５は、手ぶれ対応連写撮影処理を示すフローチャートである。以下、図４、５を参照して、手ぶれ対応連写撮影処理の流れを説明する。
【００４３】
図４において、まず、撮影者の撮影者ＩＤが取得される（ステップＳ１）。具体的には、表示装置１５に指紋入力装置１９からの指紋入力促すメッセージ及び指紋の載置場所が表示され、指紋入力装置１９から指紋画像データが入力されると、入力された指紋画像データと撮影者情報格納領域１７３に記憶された指紋画像データとの照合が行われ、入力した指紋画像データに一致した指紋画像データに対応する撮影者ＩＤが取得される。
【００４４】
次いで、マニュアル設定撮影かオート設定撮影か選択するための選択画面が表示され、入力装置１２の十字釦及び決定釦の操作によりマニュアル設定撮影が選択されると（ステップＳ１２；マニュアル）、連写撮影を行う際のパラメータの設定が行われる。即ち、表示装置１５に遅延時間設定画面が表示され、当該画面に従って入力装置１２の操作により遅延時間Ｔが設定されると（ステップＳ１３）、表示装置１５に連写周期設定画面が表示され、当該画面に従って入力装置１２の操作により連写周期Ｃが設定されると（ステップＳ１４）、表示装置１５に連写回数設定画面が表示され、当該画面に従って入力装置１２の操作により連写回数Ｎが設定されると（ステップＳ１５）、パラメータの設定が終了し、シャッター釦の半押しが待機される（ステップＳ１６）。  
【００４５】
シャッター釦が半押しされると（ステップＳ１６；ＹＥＳ）、センサ部２５からの検出値に応じて絞り量、露光時間Ｅ等の露出条件が決定され（ステップＳ１７）、シャッター釦の全押しが待機される。シャッター釦が全押しされると（ステップＳ２５；ＹＥＳ）、センサ１８によるデジタルカメラ１０の単位時間当たりの揺れ量の測定が開始され（ステップＳ２６）、以降、連写回数Ｎの撮影が終了するまで単位時間毎に、その間の（単位時間当たりの）デジタルカメラ１０の揺れ量が測定され、測定値が順次ＲＡＭ１３の揺れ量記憶領域１３１に記憶される。なお、単位時間は、露光時間Ｅに対して十分短い時間であり、予め定められている。シャッター釦が全押しされてから遅延時間Ｔが経過すると（ステップＳ２７；ＹＥＳ）、カウンタｉに１が格納され（ステップＳ２８）、撮像装置１６が制御され、ステップＳ１７で決定された露光時間Ｅの露光により撮影が行われ（ステップＳ２９）、得られた画像データが撮影回数ｉと対応付けてＲＡＭ１３の画像一時記憶領域１３２に一時記憶される（ステップＳ３０）。そして、露光中に測定された揺れ量（測定値）の最大値が撮影回数ｉと対応付けてＲＡＭ１３の最大揺れ量記憶領域１３３に記憶される（ステップＳ３１）。連写回数Ｎの撮影が終了していなければ、即ち、カウンタｉ≧Ｎでなければ（ステップＳ３２；ＮＯ）、カウンタｉが１インクリメントされ（ステップＳ３３）、次の撮影まで待機され（ステップＳ３４）、処理はステップＳ２９に戻る。なお、ステップＳ３４における待機時間は、連写周期Ｃと露光時間Ｅにより決定される時間（待機時間＝露光時間Ｅ−連写周期Ｃ）である。
【００４６】
ステップＳ２９〜Ｓ３４の処理が繰り返し実行され、カウンタｉ≧Ｎとなる、即ち、連写回数Ｎ回分の撮影が終了すると（ステップＳ３２；ＹＥＳ）、センサ１８による揺れ量の測定が終了され（ステップＳ３５）、ＲＡＭ１３の揺れ量記憶領域１３１に一時記憶された単位時間当たりの揺れ量の測定値データが履歴情報として撮影者ＩＤと対応付けて測定履歴格納領域１７２に記憶される（ステップＳ３６）。
【００４７】
次いで、カウンタｉに１がセットされ（ステップＳ３７）、最大揺れ量記憶領域１３３に記憶されている測定値データにおいて、撮影回数がｉ回目の揺れ量の測定値データが最小（最も少ない）か否かが判断され、最小であると判断された場合（ステップＳ３８；ＹＥＳ）、撮影画像記録領域１７１の正規領域１７１ａにｉ回目に撮影された画像データが記録され（ステップＳ３９）、処理はステップＳ４３に移行する。ステップＳ３８において、撮影回数がｉ回目の揺れ量の測定値データが最小ではないと判断されると（ステップＳ３８；ＮＯ）、撮影回数がｉ回目の揺れ量の測定値データが予め定められた閾値Ｂと比較され、閾値Ｂ以下であると判断されると（ステップＳ４０；ＹＥＳ）、撮影画像記録領域１７１のテンポラリ領域１７１ｂにｉ回目に撮影された画像データが記録され（ステップＳ４１）、処理はステップＳ４３に移行する。撮影回数がｉ回目の揺れ量の測定値データが予め設定された閾値Ｂを超えていると判断されると（ステップＳ４０；ＮＯ）、ｉ回目に撮影された画像データは記録されずに削除され（ステップＳ４２）、処理はステップＳ４３に移行する。ここで、ステップＳ４０で用いられる閾値Ｂは、撮影時の手ぶれの影響が少なく撮影画像が鑑賞に許容される画像となる揺れ量と鑑賞に許容されない画像となる揺れ量の境界となる値である。露光時間Ｅが長ければ（例えば、暗い所）、露光中の揺れ量が同じであっても画像は劣化するので、閾値Ｂは、露光時間Ｅに基づき決定される。この閾値Ｂは、予め記録装置１７等に露光時間Ｅと閾値Ｂの対応テーブルが記憶されており、この対応テーブルにより定められる閾値Ｂである。
【００４８】
ステップＳ４３においては、ｉ≧Ｎであるか否か、即ち連写撮影により得られたＮの画像データ全てについてステップＳ３８〜Ｓ４２の処理が終了したか否かが判断され、ｉ≧Ｎではないと判断されると（ステップＳ４３；ＮＯ）、カウンタｉがインクリメントされ（ステップＳ４４）、処理はステップＳ３８に戻る。連写撮影により得られたＮの画像データ全てについてステップＳ３８〜Ｓ４２の処理が終了すると（ステップＳ４３；ＹＥＳ）、処理はステップＳ４５に移行する。
【００４９】
図６に、ステップＳ２６〜ステップＳ４２における処理内容を模式的に示す。図６において、縦軸はセンサ１８による測定値、即ちデジタルカメラ１０の揺れ量を示し、横軸はシャッター釦が操作（全押し）されてからの経過時間を示す。図６における各点は、シャッター釦が操作されてからステップＳ３５で揺れ量の測定が終了するまでに単位時間毎にセンサ１８により測定された単位時間当たりの揺れ量をプロットしたものである。図６において、画１〜画５の撮影における露光中（図６のＥで示す期間）の最大の揺れ量は、画１の撮影時において最小となっており、画５の撮影時においては閾値Ｂを超えている。即ち、画１は正規領域１７１ａに記録され、画２〜画４はテンポラリ領域１７１ｂに仮保存され、画５は記録されない。
【００５０】
露光中の揺れ量の最大値が閾値Ｂ以下の比較的揺れ量の小さい（少ない）、手ぶれの影響が鑑賞に許容される範囲の画像データはテンポラリ領域１７１ｂに記録されるので、撮影者が撮影後に見て、必要に応じて正規領域１７１ａに移動することができる。これにより、例えば、被写体が人物であり、露光中に揺れ量が最も小さかった画像がたまたま目をとじてしまった場合には、テンポラリ領域１７１ｂに記憶された目の閉じていない画像を正規領域１７１ａに移動する等、撮影者の判断により、より良い画像を撮影画像として記録することが可能となる。
【００５１】
図５のステップＳ４５においては、撮影画像記録領域１７１の正規領域１７１ａの空き容量が所定量Ｍ１以下であるか否かが判断され、所定量Ｍ１以下でなければ（ステップＳ４５；ＮＯ）、処理はステップＳ５０に移行する。所定量Ｍ１以下である場合（ステップＳ４５；ＹＥＳ）、テンポラリ領域１７１ｂの空き容量が所定量Ｍ２以下であるか否かが判断される（ステップＳ４６）。テンポラリ領域１７１ｂの空き容量が所定量Ｍ１以下でなければ（ステップＳ４６；ＮＯ）、正規領域１７１ａが所定量Ｍ２の領域分拡張され（ステップＳ４７）、処理はステップＳ５０に移行する。テンポラリ領域１７１ｂの空き容量が所定量Ｍ２以下である場合（ステップＳ４６；ＹＥＳ）、テンポラリ領域１７１ｂに格納されている画像データの撮影日付が古いものから順に、空き容量が所定量Ｍ２を超えるまで削除され、正規領域１７１ａが所定量Ｍ２の領域分拡張され（ステップＳ４８）、ＲＡＭ１３の所定領域（揺れ量記録領域１３１、画像一時記憶領域１３２、最大揺れ量記憶領域１３３）のデータがクリアされ（ステップＳ４９）、処理はステップＳ５０に移行する。なお、所定量Ｍ１＝所定量Ｍ２であってもよいし、所定量Ｍ１≦Ｍ２であってもよい。
【００５２】
図７に、図５のステップＳ４５〜Ｓ４８の処理内容を模式的に示す。図７に示すように、撮影画像記録領域１７１は、正規領域１７１ａの空き容量が所定量Ｍ１以下となった場合、正規領域１７１ａが自動的に拡張される。このときテンポラリ領域１７１ｂに十分な空き領域がなければ、テンポラリ領域１７１ｂの撮影日時の古い画像データから削除され、正規領域１７１ａが拡張される。これにより、撮影画像として採用しない不要な画像データにより正規の撮影画像を保存する領域が圧迫されてしまうことがなくなる。
【００５３】
一方、図４のステップＳ１２において、オート設定撮影が選択されると（ステップＳ１２；オート）、測定履歴格納領域１７２にステップＳ１１で取得された撮影者ＩＤに対応する履歴情報が予め設定されたｍ件以上であるか否かが判断され、ｍ件に達していないと判断されると（ステップＳ１８；ＮＯ）、オート設定に十分な履歴情報がないと判断され、処理はステップＳ１３に移行し、マニュアル設定撮影が行われる。測定履歴格納領域１７２にステップＳ１１で取得された撮影者ＩＤに対応する測定履歴が予め設定されたｍ件以上存在すると判断されると（ステップＳ１８；ＹＥＳ）、シャッター釦の半押しが待機され、シャッター釦が半押しされると（ステップＳ１９；ＹＥＳ）、センサ部２５からの検出値に応じて絞り量、露光時間Ｅ等の露出条件が決定される（ステップＳ２０）。次いで、以下のステップＳ２０〜Ｓ２４により、決定された露光時間Ｅ及びステップＳ１１で取得された撮影者ＩＤに対応する履歴情報に基づいて、パラメータの自動決定が行われる。
【００５４】
まず、ステップＳ２１においては、閾値Ｂの決定が行われる。ここで求められる閾値Ｂは、ステップＳ４０で説明した閾値Ｂと同じであり、予め記録装置１７等に露光時間Ｅと閾値Ｂの対応テーブルが記憶されており、この対応テーブルを参照することにより露光時間Ｅに基づく閾値Ｂが決定される。
【００５５】
次いで、記録装置１７に記憶されている遅延時間決定プログラムが読み出され、当該遅延時間決定プログラムに従って、遅延時間Ｔの決定処理が行われる（ステップＳ２２）。遅延時間Ｔは、測定履歴及び閾値Ｂに基づいて決定される。図８は、縦軸を揺れ量（測定値）、横軸をシャッター釦が全押しされてからの経過時間とし、複数回の連写撮影における履歴情報をプロットしてステップＳ２１で決定された閾値Ｂと比較したものである。図８に示すように、撮影時のデジタルカメラ１０の揺れ量は、シャッター釦の全押し操作からの経過時間により下記の（１）〜（３）の傾向が見られる。
（１）シャッター釦操作直後は揺れが大きい。
（２）或る時間が経過後は、釦操作の揺れがおさまり、安定した状態になる。
（３）更に時間が経過すると、デジタルカメラ１０の固定が持続できなくなり、揺れ量が大きくなる。
（１）、（３）の期間は揺れ量が大きく画像がぶれてしまう可能性があり、撮影には適さない。（２）の期間は揺れ量が小さいのでぶれの少ない良好な画像が得られる可能性が高い。
【００５６】
そこで、遅延時間Ｔの決定処理では、例えば、図８に示す、揺れ量が閾値Ｂを下回る期間を連写可能な期間として求め、シャッター釦操作後から連写可能期間開始までの時間を遅延時間Ｔとして決定する。
【００５７】
次いで、記録装置１７に記憶されている周期及び回数決定プログラムが読み出され、当該周期及び回数決定プログラムに従って、連写周期Ｃ及び連写回数Ｎの決定処理が行われる。連写周期Ｃ及び連写回数Ｎの決定処理においては、まず、複数の履歴情報が個別に解析され、各履歴情報間の揺れ量の大小に一定の周期性（周期Ｃ１）が観測された場合、この周期Ｃ１、露光時間Ｅ及びステップＳ２２で遅延時間Ｔを取得する際に求められた連写可能期間に基づいて連写周期Ｃ、連写回数Ｎを決定する。図９（ａ）に示すように、露光時間Ｅが周期Ｃ１の一定割合以下であり、十分短い場合（例えば、露光時間Ｅが（Ｃ１×１／５）以下である場合）、連写周期Ｃを（Ｃ１×１／５）とし、連写回数Ｎを５として５回撮影すれば、揺れ量の小さい時点（図９（ａ）のＥ３）で露光された画像を得ることができる。図９（ｂ）（ｃ）に示すように、露光時間Ｅが周期Ｃ１の一定割合以下ではなく、一周期内では十分な連写回数が確保できない場合（例えば、露光時間Ｅ＞（Ｃ１×１／５）である場合）、図９（ｂ）に示すように連写周期Ｃを周期Ｃ１と同じにして撮影すると、何回撮影しても揺れ量の少ない良好な画像は得られない。そこで、図９（ｃ）に示すように連写周期Ｃを周期Ｃ１とずらすと（例えば、図９では（Ｃ１×２／３））、複数回（図９（ｂ）では３回）の撮影で揺れ量の少ない画像が得られる。連写回数Ｎは、露光時間Ｅと連写周期Ｃ及び連写可能期間の関係から決定される。
【００５８】
パラメータの設定が終了すると、処理はステップＳ２５に移行し、設定された遅延時間Ｔ、連写回数Ｎ、連写周期Ｃに基づいてステップＳ２５〜Ｓ４９の処理が実行される。ステップＳ２５〜Ｓ４９の処理は、パラメータをステップＳ２０〜Ｓ２４で自動設定されたものを用いるほかはマニュアル設定撮影時で説明したのと同様である。
【００５９】
図５に戻り、ステップＳ５０においては、入力装置１２のモード切替スイッチの操作によりモード切替が指示されたか否かが判断され、モード切替が指示されていなければ（ステップＳ５０；ＮＯ）、マニュアル設定撮影かオート設定撮影かが判断され、マニュアル設定撮影である場合には（ステップＳ５１；マニュアル）、処理はステップＳ１６に戻り、マニュアル設定されたパラメータに基づいて次の撮影が行われる。オートである場合には（ステップＳ５１；オート）、処理はステップＳ１９に戻り、オートで設定されたパラメータに基づいて次の撮影が行われる。ステップＳ５０において、モード切替が指示されたと判断されると（ステップＳ５０；ＹＥＳ）、処理は図３のステップＳ１に移行する。
【００６０】
以上説明したように、デジタルカメラ１０によれば、シャッター釦が全押し操作され、撮影が指示されると、連写撮影を行ない、露光中の揺れ量が最も少なかった撮影で取得された画像データを正規領域１７１ａに記録する。従って、撮影時の手ぶれの影響の少ない画像を撮影画像として記録することが可能となる。
【００６１】
また、連写撮影においては、シャッター釦の操作から連写開始までの遅延時間Ｔ、連写周期Ｃ、連写回数Ｎ等のパラメータを設定することができるので、撮影者に応じた連写撮影を行うことができる。また、撮影時にデジタルカメラ１０の揺れ量を計測し、測定結果を履歴情報として測定履歴格納領域１７２に記憶し、オート設定撮影においては、撮影者の過去の履歴情報に基づいて、自動的に最適な遅延時間Ｔ、連写周期Ｃ、連写回数Ｎ等のパラメータを決定するので、撮影者の手ぶれの癖の傾向を考慮して、より手ぶれの影響の少ない良好な画像を得ることが可能となる。
【００６２】
また、連写撮影により撮影された複数の画像データのうち、正規領域１７１ａに記録されていない画像データであって、撮影時の揺れ量が閾値Ｂ以下の比較的手ぶれの少ない画像データは、テンポラリ領域１７１ｂに一時記憶するので、手ぶれの影響の最も少なかった画像が撮影者にとって好ましい画像ではなかった場合に、テンポラリ領域１７１ｂに記録された画像データを正規領域１７１ａに移動し、正規の撮影画像とすることができる。これにより、例えば、被写体が人物であり、露光中に揺れ量が最も小さかった画像がたまたま目をとじてしまった場合には、テンポラリ領域１７１ｂに記憶された目の閉じていない画像を正規領域１７１ａに移動する等、撮影者の判断により、より見た目の良い画像を撮影画像として記録することが可能となる。
【００６３】
また、正規領域１７１ａの領域が所定値以下となった場合は、テンポラリ領域１７１ｂに正規領域１７１ａを拡張するので、テンポラリ領域１７１ｂを設けることにより正規の画像データの記録に影響がでることがない。
【００６４】
なお、上記実施形態における記述内容は、本発明に係るデジタルカメラ１０の好適な一例であり、これに限定されるものではない。
【００６５】
例えば、上記実施形態においては、撮影者を特定するための手段として、指紋入力装置を用いたが、これに限定されず、例えば、虹彩や網膜等の他の生態情報を用いるようにしてもよいし、撮影者ＩＤの入力装置１２からの入力により撮影者を特定するようにしてもよい。
【００６６】
その他、デジタルカメラ１０の細部構成及び細部動作に関しても、本発明の趣旨を逸脱することのない範囲で適宜変更可能である。
【図面の簡単な説明】
【００６７】
【図１】本発明に係るデジタルカメラ１０の機能的構成を示すブロック図である。
【図２】図１の撮像装置１６の詳細構成を示す図である。
【図３】図１のＣＰＵ１１により実行されるメイン処理を示すフローチャートである。
【図４】図１のＣＰＵ１１により実行される手ぶれ対応連写撮影処理を示すフローチャートである。
【図５】図１のＣＰＵ１１により実行される手ぶれ対応連写撮影処理を示すフローチャートである。
【図６】図４、５のステップＳ２６〜ステップＳ４２における処理内容を模式的に示す図である。
【図７】図５のステップＳ４５〜Ｓ４８の処理内容を模式的に示す図である。
【図８】遅延時間Ｔの決定処理を説明するための図である。
【図９】連写周期Ｃ及び連写回数Ｎの決定処理を説明するための図である。
【符号の説明】
【００６８】
１０  デジタルカメラ
１１  ＣＰＵ
１２  入力装置
１３  ＲＡＭ
１３１  揺れ量記憶領域
１３２  画像一時記憶領域
１３３  最大揺れ量記憶領域
１４  伝送制御部
１５  表示装置
１６  撮像装置
１７  記録装置
１７１  撮像画像記録領域
１７１ａ  正規領域
１７１ｂ  テンポラリ領域
１７２  測定履歴格納領域
１７３  撮影者情報格納領域
１８  センサ
１９  指紋入力装置
２０  バス
２１  撮像レンズ
２２  絞り機構
２３  ＣＣＤ
２４  光学系駆動部
２５  センサ部
２６  駆動回路
２７  アナログ処理回路
２８  Ａ／Ｄ変換回路
２９  バッファレジスタ
３０  信号処理回路
３１  圧縮伸張回路
【図１】
2007174534.tif 000003
【図２】
2007174534.tif 000004
【図３】
2007174534.tif 000005
【図４】
2007174534.tif 000006
【図５】
2007174534.tif 000007
【図６】
2007174534.tif 000008
【図７】
2007174534.tif 000009
【図８】
2007174534.tif 000010
【図９】
2007174534.tif 000011